(57)【特許請求の範囲】
【請求項１】
本体ケースの内部に、送風手段と、貯水する貯水容器と、前記貯水容器から吸水する加湿フィルターと、前記貯水容器に水を供給する給水タンクとを備え、前記加湿フィルターを、柔軟性を有するフィルター材と、前記フィルター材の一端を保持する第１の保持材と、前記フィルター材の他端を保持する第２の保持材とで構成し、前記フィルター材を前記第１の保持材と前記第２の保持材との間に配置する加湿装置であって、前記フィルター材の自然寸法を、前記第１の保持材と前記第２の保持材との間に配置した状態での前記フィルター材の寸法よりも大きくし、前記第１の保持材をフィルター枠、前記第２の保持材をフィルターカバーとし、前記フィルター枠を、前記フィルター材の一端を当接させる底面部と、前記底面部に立設された柱部と、前記柱部の端部を連結する天面部とで構成し、前記柱部を、前記フィルター材の一方の面側に位置する第１の柱部と、前記フィルター材の他方の面側に位置する第２の柱部とで構成し、前記第１の柱部と前記第２の柱部との間に前記フィルター材を配置し、前記天面部に前記フィルターカバーを係合し、前記フィルター材の前記一端を前記底面部に当接させた状態では、前記フィルター材の前記他端は前記天面部よりも高く、前記天面部に前記フィルターカバーを係合することで、前記フィルター材の前記面を湾曲させ、前記フィルター材が、少なくとも第１のフィルター面体と第２のフィルター面体とから構成され、前記第１のフィルター面体を前記第１の柱部側に配置し、前記第２のフィルター面体を前記第２の柱部側に配置し、前記第１のフィルター面体の一端と前記第２のフィルター面体の一端とは前記底面部に当接し、前記第１のフィルター面体の他端と前記第２のフィルター面体の他端とは前記フィルターカバーによって押圧され、前記第１のフィルター面体の一端と前記第２のフィルター面体の一端とは接合されることを特徴とする加湿装置。
【請求項２】
前記送風手段を、前記本体ケースの一側方の空間に配置し、前記給水タンクを、前記本体ケースの他側方の空間に配置し、前記貯水容器を、前記一側方の空間下部と前記他側方の空間下部に配置し、前記本体ケースのケース背面又はケース側面の少なくとも一方に吸込口を形成し、前記本体ケースのケース天面に吹出口を形成し、前記ケース天面を、前記一側方の空間上部を覆う送風側天面と、前記他側方の空間上部を覆うタンク側天面とで構成し、前記送風手段を、ファン吸気口を下方としてモータ部を前記送風側天面に取り付け、前記吹出口を、平面視で前記モータ部の配設位置以外となる前記送風側天面に配置し、前記送風手段の下方に導風筒を設け、前記導風筒によって、加湿空気を前記ファン吸気口に導く中央連通口を形成し、前記吸込口から前記中央連通口に至る風路に、前記加湿フィルターを配置し、前記一側方の空間を、仕切部によって下方空間と上方空間とに仕切り、前記上方空間が前記導風筒の外周部に形成され、上下面を開口とした枠状に前記フィルター材を配置して前記加湿フィルターを形成し、前記加湿フィルターを前記下方空間に配置するとともに前記貯水容器内に載置し、前記吸込口を、上下方向に上部吸込口と下部吸込口とに２分割し、前記下部吸込口を前記下方空間に臨んで開口し、前記上部吸込口を前記上方空間に臨んで開口し、前記仕切部が、前記本体ケースのケース前面側に前方連通口を形成し、前記前方連通口によって、前記上方空間と前記下方空間とを連通し、前記上方空間によって、前記上部吸込口から前記前方連通口に至る吸込風路が形成されることを特徴とする請求項１に記載の加湿装置。
【請求項３】
前記吸込口を前記ケース背面に形成し、前記仕切部が、前記ケース側面側に側方連通口を形成し、前記側方連通口によって、前記上方空間と前記下方空間とを連通したことを特徴とする請求項２に記載の加湿装置。
【請求項４】
前記フィルター材を不織布で構成したことを特徴とする請求項１から請求項３のいずれかに記載の加湿装置。
【発明の詳細な説明】
【技術分野】
【０００１】
本発明は、貯水容器に貯水した水に一部を浸漬した加湿フィルターに通風して加湿する気化式の加湿装置に関するものである。
【背景技術】
【０００２】
従来、この種の加湿装置において、室内の空気を本体に広く形成した吸込口から吸い込み、本体内に配設した加湿フィルターに広い面から通過させて、通気特性を向上させるとともに、加湿フィルターの気化効率を向上させたものが知られている（例えば、特許文献１参照）。
【０００３】
以下、特許文献１に記載の加湿器について説明する。
【０００４】
上面に吹出開口が開設された角柱状の筐体を有する加湿器の内部に、貯水した水受け水槽と、水受け水槽の水にその下端部が浸されるように配置された平面視略四角形状の加湿用吸水体と、水受け水槽に水を供給する給水タンクとを配設している。
【０００５】
そして、本体には、両側面および後面に空気取入口を開設し、空気取入口から吹出開口につながる風路に吹出用送風機を設け、空気取入口から本体内に導入された室内空気が加湿用吸水体の外表面から内側の空間に導かれた後、加湿空気が吹出用送風機を介して室内に吹き出される。
【先行技術文献】
【特許文献】
【０００６】
【特許文献１】特開２００２−８９８９５号公報
【発明の概要】
【発明が解決しようとする課題】
【０００７】
このような特許文献１に記載の加湿器では、空気取入口は、本体の両側面および後面に開設され、広い面積で多方向の開口から加湿用吸水体に室内空気が送風される。しかし、開口する本体の側面の数が多いので騒音が増大する。また、両側面の空気取入口は本体の前方から使用者の目に入る位置に形成されているので製品の外観上好ましくない。さらに、製品を室内に置いたとき、室内の調度品や壁面に塞がれることとなり得る空気取入口の形成面が増えて、通気特性が低下する場合が多い。
【０００８】
そこで、本発明は、上記従来の課題を解決して、フィルター材の表面積を増加させることにより、加湿フィルターの通気特性が向上し、気化効率を向上させた加湿装置を提供することを目的とする。
【課題を解決するための手段】
【０００９】
そして、この目的を達成するために、本発明の加湿装置は、本体ケースの内部に、送風手段と、貯水する貯水容器と、前記貯水容器から吸水する加湿フィルターと、前記貯水容器に水を供給する給水タンクとを備え、前記加湿フィルターを、柔軟性を有するフィルター材と、前記フィルター材の一端を保持する第１の保持材と、前記フィルター材の他端を保持する第２の保持材とで構成し、前記フィルター材を前記第１の保持材と前記第２の保持材との間に配置する加湿装置であって、前記フィルター材の自然寸法を、前記第１の保持材と前記第２の保持材との間に配置した状態での前記フィルター材の寸法よりも大きくし、前記第１の保持材をフィルター枠、前記第２の保持材をフィルターカバーとし、前記フィルター枠を、前記フィルター材の一端を当接させる底面部と、前記底面部に立設された柱部と、前記柱部の端部を連結する天面部とで構成し、前記柱部を、前記フィルター材の一方の面側に位置する第１の柱部と、前記フィルター材の他方の面側に位置する第２の柱部とで構成し、前記第１の柱部と前記第２の柱部との間に前記フィルター材を配置し、前記天面部に前記フィルターカバーを係合し、前記フィルター材の前記一端を前記底面部に当接させた状態では、前記フィルター材の前記他端は前記天面部よりも高く、前記天面部に前記フィルターカバーを係合することで、前記フィルター材の前記面を湾曲させ、前記フィルター材が、少なくとも第１のフィルター面体と第２のフィルター面体とから構成され、前記第１のフィルター面体を前記第１の柱部側に配置し、前記第２のフィルター面体を前記第２の柱部側に配置し、前記第１のフィルター面体の一端と前記第２のフィルター面体の一端とは前記底面部に当接し、前記第１のフィルター面体の他端と前記第２のフィルター面体の他端とは前記フィルターカバーによって押圧され、前記第１のフィルター面体の一端と前記第２のフィルター面体の一端とは接合されることを特徴とする。
【発明の効果】
【００１０】
本発明によれば、第１の保持材と第２の保持材との間の寸法よりも大きなフィルター材を用いることで、フィルター材の表面積が増加し、加湿量を増加させることができる。
【００１１】
また、本発明によれば、第１の保持材と第２の保持材との間の寸法よりも大きなフィルター材の装着を容易に行うことができ、スムーズな空気流れを実現でき、吹出口を大きく形成できるため均一な空気流れを実現でき、加湿性能が向上するとともに空気流れの乱れによる騒音を低減できる。
【図面の簡単な説明】
【００１２】
【図１】本発明の実施の形態１の加湿装置をケース前面側から見た斜視図
【図２】同加湿装置をケース背面側から見た斜視図
【図３】同加湿装置の縦断面図
【図４】同加湿装置の本体ケース内を示す後方から見た斜視図
【図５】同加湿装置の本体ケース内を示す前方から見た斜視図
【図６】同加湿装置の本体ケース内を示す一部破断斜視図
【図７】同加湿装置の加湿フィルターを示す斜視図
【図８】同加湿フィルターの分解斜視図
【図９】同加湿フィルターの装着時の状態を示すイメージ図
【発明を実施するための形態】
【００１９】
本発明の第１の実施の形態による加湿装置は、本体ケースの内部に、送風手段と、貯水する貯水容器と、貯水容器から吸水する加湿フィルターと、貯水容器に水を供給する給水タンクとを備え、加湿フィルターを、柔軟性を有するフィルター材と、フィルター材の一端を保持する第１の保持材と、フィルター材の他端を保持する第２の保持材とで構成し、フィルター材を第１の保持材と第２の保持材との間に配置する加湿装置であって、フィルター材の自然寸法を、第１の保持材と第２の保持材との間に配置した状態でのフィルター材の寸法よりも大きくし、第１の保持材をフィルター枠、第２の保持材をフィルターカバーとし、フィルター枠を、フィルター材の一端を当接させる底面部と、底面部に立設された柱部と、柱部の端部を連結する天面部とで構成し、柱部を、フィルター材の一方の面側に位置する第１の柱部と、フィルター材の他方の面側に位置する第２の柱部とで構成し、第１の柱部と第２の柱部との間にフィルター材を配置し、天面部にフィルターカバーを係合し、フィルター材の一端を底面部に当接させた状態では、フィルター材の他端は天面部よりも高く、天面部にフィルターカバーを係合することで、フィルター材の面を湾曲させ、フィルター材が、少なくとも第１のフィルター面体と第２のフィルター面体とから構成され、第１のフィルター面体を第１の柱部側に配置し、第２のフィルター面体を第２の柱部側に配置し、第１のフィルター面体の一端と第２のフィルター面体の一端とは底面部に当接し、第１のフィルター面体の他端と第２のフィルター面体の他端とはフィルターカバーによって押圧され、第１のフィルター面体の一端と第２のフィルター面体の一端とは接合されるものである。
【００２０】
本実施の形態によれば、第１の保持材と第２の保持材との間の寸法よりも大きなフィルター材を用いることで、フィルター材の表面積が増加し、加湿量を増加させることができ、第１の柱部と第２の柱部とによってフィルター材の面方向が規制され、フィルター材の他端をフィルターカバーで押さえることで、フィルター材を第１の保持材と第２の保持材との間に配置するため、第１の保持材と第２の保持材との間の寸法よりも大きなフィルター材の装着を容易に行うことができ、フィルター材の装着を容易に行えるとともに、フィルター材の面を適正に湾曲させることができ、フィルター材の湾曲によって、圧力損失を増加させることなくフィルター材の表面積を増加させることができ、フィルターカバーによって押圧されることで、第１のフィルター面体と第２のフィルター面体との間にも空間が形成され、圧力損失を増加させることなくフィルター材の表面積を増加させることができる。
【００２１】
また本発明の第２の実施の形態による加湿装置は、送風手段を、本体ケースの一側方の空間に配置し、給水タンクを、本体ケースの他側方の空間に配置し、貯水容器を、一側方の空間下部と他側方の空間下部に配置し、本体ケースのケース背面又はケース側面の少なくとも一方に吸込口を形成し、本体ケースのケース天面に吹出口を形成し、ケース天面を、一側方の空間上部を覆う送風側天面と、他側方の空間上部を覆うタンク側天面とで構成し、送風手段を、ファン吸気口を下方としてモータ部を送風側天面に取り付け、吹出口を、平面視でモータ部の配設位置以外となる送風側天面に配置し、送風手段の下方に導風筒を設け、導風筒によって、加湿空気をファン吸気口に導く中央連通口を形成し、吸込口から中央連通口に至る風路に、加湿フィルターを配置し、一側方の空間を、仕切部によって下方空間と上方空間とに仕切り、上方空間が導風筒の外周部に形成され、上下面を開口とした枠状にフィルター材を配置して加湿フィルターを形成し、加湿フィルターを下方空間に配置するとともに貯水容器内に載置し、吸込口を、上下方向に上部吸込口と下部吸込口とに２分割し、下部吸込口を下方空間に臨んで開口し、上部吸込口を上方空間に臨んで開口し、仕切部が、本体ケースのケース前面側に前方連通口を形成し、前方連通口によって、上方空間と下方空間とを連通し、上方空間によって、上部吸込口から前方連通口に至る吸込風路が形成されるものである。
【００２２】
本実施の形態によれば、加湿フィルターにおける室内空気の通風は、本体ケースの裏面側である背面に形成された下部吸込口と上部吸込口から室内空気が吸い込まれ、加湿フィルターの後方側と前方側の両方向から加湿フィルターに通風され、吸込口が裏面側のみとなることで、騒音の増大を抑えた上で、製品の外観を損なうことなく、かつ、加湿フィルターの前後方向から通風して、加湿フィルターの気化効率を向上させることができる。
【００２３】
また、本実施の形態によれば、前方のフィルター材では、前方連通口から通風されるため、フィルター材の他端側からの流れとなるが、フィルター材が湾曲されているため、圧力損失を少なくし、加湿量を増加させることができる。
【００２４】
また本発明の第３の実施の形態による加湿装置は、吸込口をケース背面に形成し、
仕切部が、ケース側面側に側方連通口を形成し、
側方連通口によって、上方空間と下方空間とを連通したものである。
【００２５】
本実施の形態によれば、加湿フィルターには、側方からも通風されることとなり、加湿フィルターの気化効率がより向上する。
【００２６】
また、本実施の形態によれば、側方のフィルター材では、側方連通口から通風されるため、フィルター材の他端側からの流れとなるが、フィルター材が湾曲されているため、圧力損失を少なくし、加湿量を増加させることができる。
【００２７】
また本発明の第４の実施の形態による加湿装置は、フィルター材を不織布で構成したものである。
【００２８】
本実施の形態によれば、柔軟性とともに吸水性にも優れるので、圧力損失を少なくし、加湿量を増加させることができる。
【００２９】
以下、本発明の実施の形態について、図を用いて説明する。
【００３０】
図１は、本発明の実施の形態１の加湿装置をケース前面側から見た斜視図である。
【００３１】
本実施の形態による加湿装置は、幅寸法Ｗが奥行き寸法Ｌより大きな本体ケース１で覆われている。本体ケース１は、ケース前面１ａ、一側方のケース側面１ｂ、ケース背面１ｃ、及び他側方のケース側面１ｄによって側面が覆われている。また本体ケース１の天面は、一側方の空間上部を覆う送風側天面１ｅと、他側方の空間上部を覆うタンク側天面１ｆとで覆われ、天面外形は、平面視で長円形状としている。
【００３２】
送風側天面１ｅには、吹出口１０を形成している。吹出口１０は、タンク側天面１ｆと接する外縁以外の送風側天面１ｅの外縁に沿って、Ｕ字状に設けている。
【００３３】
図２は、同加湿装置をケース背面側から見た斜視図である。
【００３４】
同加湿装置は、ケース背面１ｃの全幅にわたって吸込口１７を設けている。吸込口１７は、上下方向に上部吸込口１５と下部吸込口１６とに２分割されている。
【００３５】
図３は、同加湿装置の縦断面図である。
【００３６】
同加湿装置は、本体ケース１の内部に、送風手段８と、貯水する貯水容器１１と、貯水容器１１から吸水する加湿フィルター１２と、貯水容器１１に水を供給する給水タンク１３とを備えている。
【００３７】
送風手段８は、本体ケース１の一側方の空間ａに配置している。給水タンク１３は、本体ケース１の他側方の空間ｂに配置している。他側方の空間ｂは、給水タンク１３の収納空間を形成している。
【００３８】
送風手段８は、ファン吸気口８ａを構成する筒状部材８ｂと、複数の羽根８ｃを立設する回転体８ｄと、モータ部８ｅとから構成される。筒状部材８ｂは羽根８ｃと接合されている。従って、モータ部８ｅの駆動によって、筒状部材８ｂは回転体８ｄとともに回転する。
【００３９】
送風手段８は、ファン吸気口８ａを下方としてモータ部８ｅを送風側天面１ｅの下面に取り付けている。モータ部８ｅは、送風側天面１ｅの中央に配置し、図１及び図２に示す吹出口１０は、平面視でモータ部８ｅの配設位置以外となる送風側天面１ｅに配置している。
【００４０】
送風手段８の下方には、導風筒９を設けている。導風筒９は、加湿空気をファン吸気口８ａに導く中央連通口２を形成している。中央連通口２の外周には仕切部３が形成されている。
【００４１】
導風筒９は、円弧状の外周面を備えた筒状で、さらに、下方に向かうにしたがって広がる形状に形成され、送風手段８の下方の空間となる上方空間ｄに位置し、一側方の空間ａの水平面の中央部に位置している。
【００４２】
一側方の空間ａは、仕切部３によって下方空間ｃと上方空間ｄとに仕切られる。上方空間ｄは、導風筒９の外周部に形成される。なお、下部吸込口１６は下方空間ｃに臨んで開口し、上部吸込口１５は上方空間ｄに臨んで開口している。
【００４３】
本体ケース１の一側方の空間ａと、本体ケース１の他側方の空間ｂとの間には、内側板６が縦方向に配設されている。内側板６は、本体ケース１の天面から仕切部３の間に設けられている。従って、内側板６は、送風手段８の風路と他側方の空間ｂとを仕切っている。また、内側板６は、上方空間ｄと他側方の空間ｂとを仕切っている。なお、下方空間ｃと他側方の空間ｂとは連通している。
【００４４】
貯水容器１１は、一側方の空間ａ下部と他側方の空間ｂ下部に配置されている。貯水容器１１は、下方空間ｃの下部から給水タンク１３の収納空間となる他側方の空間ｂの下部にかけて、上方を開口し一定水位の水を貯水するトレーで構成されている。
【００４５】
下方空間ｃに位置する貯水容器１１には、上下方向に開口した枠状の加湿フィルター１２が、その下部を水に浸漬し上端部を中央連通口２の周囲に当接させて、載置されている。
【００４６】
他側方の空間ｂは、本体ケース１の天面に形成されたタンク側天面１ｆの下方に形成され、貯水容器１１に給水する給水タンク１３が収納される。給水タンク１３は、タンク側天面１ｆを開いて他側方の空間ｂに挿入され、配設された貯水容器１１の開口部に着脱自在に装着される。
【００４７】
貯水容器１１、加湿フィルター１２、及び給水タンク１３によって加湿手段１４が構成される。
【００４８】
図４は、同加湿装置の本体ケース内を示す後方から見た斜視図である。
【００４９】
下方空間ｃには図２で示す下部吸込口１６が位置し、上方空間ｄには図２で示す上部吸込口１５が位置する。導風筒９の外周部に形成される上方空間ｄは吸込風路１８を構成する。
【００５０】
加湿フィルター１２は、上下面を開口とした枠状にフィルター材を配置して形成される。
【００５１】
枠状をなす加湿フィルター１２の空気吸込面のうち、後側吸込面１２ａは図２で示す下部吸込口１６に位置する。なお、空気吸込面のうち、後側吸込面（図示せず）及び一方の側方吸込面１２ｂには、吸込風路１８から室内空気が流入する。また、他方の側方吸込面（図示せず）には、給水タンク１３が配置される他側方の空間ｂから室内空気が流入する。他側方の空間ｂには、ケース背面１ｃに設けた上部吸込口１５及び下部吸込口１６から室内空気が流入する。
【００５２】
図５は、同加湿装置の本体ケース内を示す前方から見た斜視図である。
【００５３】
仕切部３には、本体ケース１のケース前面１ａ側に前方連通口１９を形成し、ケース側面１ｂ側に側方連通口２０を形成している。
【００５４】
前方連通口１９は、上方空間ｄと、下方空間ｃとを連通している。側方連通口２０は、上方空間ｄと下方空間ｃとを連通ししている。そして、上方空間ｄによって、上部吸込口１５から前方連通口１９及び側方連通口２０に至る吸込風路１８が形成される。
【００５５】
図６は、同加湿装置の本体ケース内を示す一部破断斜視図である。
【００５６】
加湿フィルター１２は、吸込口１７から中央連通口２に至る風路に配置している。加湿フィルター１２は、上下面を開口とした枠状にフィルター材を配置している。
【００５７】
中央連通口２は、上方空間ｄの中央部に配置され、導風筒９は円弧状の外周面を備えて筒状に形成されている。
【００５８】
導風筒９は、下方に向かうにしたがって拡大する形状としている。
【００５９】
図７は、同加湿装置の加湿フィルターを示す斜視図である。
【００６０】
加湿フィルター１２は、柔軟性を有するフィルター材３０と、フィルター材３０の一端を保持する第１の保持材４０と、フィルター材３０の他端を保持する第２の保持材５０とで構成している。
【００６１】
フィルター材３０は、不織布で構成し、柔軟性と吸水性を有する。
【００６２】
フィルター材３０は、柔軟性と吸水性を有するものであれば、不織布でなくてもよい。
【００６３】
フィルター材３０は第１の保持材４０と第２の保持材５０との間に配置される。
【００６４】
第１の保持材４０はフィルター枠、第２の保持材５０はフィルターカバーとして構成している。
【００６５】
図８は、同加湿フィルターの分解斜視図である。
【００６６】
フィルター枠である第１の保持材４０は、フィルター材３０の一端３０ａを当接させる底面部４１と、底面部４１に立設された柱部４２と、柱部４２の端部を連結する天面部４３とで構成している。
【００６７】
柱部４２は、フィルター材３０の一方の面側に位置する第１の柱部４２ｏｕｔと、フィルター材３０の他方の面側に位置する第２の柱部４２ｉｎとで構成している。
【００６８】
フィルター材３０は、第１の柱部４２ｏｕｔと第２の柱部４２ｉｎとの間に配置される。
【００６９】
天面部４３は、複数の第１の柱部４２ｏｕｔの端部を連結する第１の天面部４３ｏｕｔと、複数の第２の柱部４２ｉｎの端部を連結する第２の天面部４３ｉｎとで構成している。
【００７０】
天面部４３の第１の天面部４３ｏｕｔには、爪４４が形成されている。
【００７１】
フィルターカバーである第２の保持材５０は、第１の天面部４３ｏｕｔと第２の天面部４３ｉｎとの間を閉塞し、第２の天面部４３ｉｎの内側に形成される空間を開放するように、リング状板材で構成されている。
【００７２】
フィルターカバーである第２の保持材５０には、爪４４が係合する孔５１が形成されている。
【００７３】
フィルター材３０は、少なくとも第１のフィルター面体３１と第２のフィルター面体３２とから構成されている。本実施例では二つのフィルター面体として説明するが、三つ以上で構成してもよい。
【００７４】
第１のフィルター面体３１は第１の柱部４２ｏｕｔ側に配置され、第２のフィルター面体３２は第２の柱部４２ｉｎ側に配置される。
【００７５】
第１のフィルター面体３１の一端と第２のフィルター面体３２の一端とは接合され、フィルター材３０の一端３０ａを構成している。フィルター材３０の一端３０ａは、装着時には底面部４１に当接する。
【００７６】
第１のフィルター面体３１の他端３１ａと第２のフィルター面体３２の他端３２ａとは接合していない。
【００７７】
第１のフィルター面体３１は、複数の開口を有する第１基材と、複数の開口を有する第２基材とを、互いの開口を複数の連結繊維にて連結して形成された三次元構造体からなる面体である。第１基材および第２基材は、例えば樹脂材料による繊維部材により形成されている、連結繊維は、第１基材および第２基材よりも高い柔軟性を有していることが好ましい。連結繊維は、吸水性及び保水性を有する。連結繊維の表面は、撥水性を有する添着材を担持させることにより凹凸が形成されている。第１基材および第２基材の開口が略円形状または多角形状に形成され、その直径または最長対角線が２ｍｍ以上であり、第１基材の開口と第２基材の開口との距離であるフィルタ基材の厚みは５ｍｍ以上で、連結繊維の直径は１ｍｍ以上である。なお、第２のフィルター面体３２についても第１のフィルター面体３１と同一構成である。
【００７８】
フィルター材３０の自然寸法Ｌａは、フィルター枠である第１の保持材４０とフィルターカバーである第２の保持材５０との間に配置した状態でのフィルター材３０の寸法Ｌｂよりも大きくしている。
【００７９】
ここで、寸法Ｌｂは、天面部４３にフィルターカバーである第２の保持材５０を係合した状態での、底面部４１からフィルターカバーである第２の保持材５０までの高さ寸法である。
【００８０】
従って、フィルター材３０の一端３０ａを底面部４１に当接させた状態では、第１のフィルター面体３１の他端３１ａと第２のフィルター面体３２の他端３２ａは天面部４３よりも高くなる。
【００８１】
そして、天面部４３にフィルターカバーである第２の保持材５０を係合することで、第１のフィルター面体３１の他端３１ａと第２のフィルター面体３２の他端３２ａとは、フィルターカバーである第２の保持材５０によって押圧される。
【００８２】
図９は、同加湿フィルターの装着時の状態を示すイメージ図である。
【００８３】
図に示すように、天面部４３にフィルターカバーである第２の保持材５０を係合することで、フィルター材３０の面は湾曲する。
【００８４】
本実施の形態では、フィルター材３０を枠状に形成しているので、フィルター材３０の面は外周方向に湾曲する。
【００８５】
すなわち、第１のフィルター面体３１、及び第２のフィルター面体３２は、高さ方向の中央部が外周方向に突出するように湾曲し、第１のフィルター面体３１と第２のフィルター面体３２との間にも空隙を生じる。
【００８６】
次に、同加湿装置の運転について説明する。
【００８７】
電源を入れて同加湿装置を運転すると、送風手段８が動作し、室内空気が上部吸込口１５及び下部吸込口１６から吸い込まれる。
【００８８】
一側方の空間ａを形成するケース背面１ｃの下部吸込口１６から吸い込まれた室内空気は、加湿フィルター１２の後方側の下方空間ｃに吸い込まれる。
【００８９】
また、一側方の空間ａを形成するケース背面１ｃの上部吸込口１５から吸い込まれた室内空気は、吸込風路１８から前方連通口１９と側方連通口２０に至る。
【００９０】
前方連通口１９からの室内空気は、加湿フィルター１２の前方側の下方空間ｃに流入する。また、側方連通口２０からの室内空気は、加湿フィルター１２の一側方の下方空間ｃに流入する。
【００９１】
このとき、導風筒９は上方空間ｄの中央部に円弧状の外周面を備えて設けているので、吸込風路１８における通風流は、吸込風路１８中で一方に偏ることなく円弧状の外周面に沿う滑らかな流れとなる。さらに、導風筒９は下方に向かうにしたがって広がる形状をしているので、吸込風路１８における通風流は、前方連通口１９と側方連通口２０とに滑らかに流れるように案内される。
【００９２】
また、室内空気は、他側方の空間ｂを形成するケース背面１ｃの上部吸込口１５と下部吸込口１６から、他側方の空間ｂに流入する。他側方の空間ｂに流入した室内空気は、加湿フィルター１２の他側方の下方空間ｃに流入する。
【００９３】
そして、加湿フィルター１２の全周の下方空間ｃに流入した室内空気は、枠状の加湿フィルター１２の内側空間２１に吸い込まれる。このとき、加湿フィルター１２は、全周から空気を吸い込み、かつ、上端開口部は仕切部３に当接しているので、加湿フィルター１２の吸込面には全周にわたって送風手段８の吸気による負圧がほぼ均等にかかり、加湿フィルター１２における通気特性が向上する。
【００９４】
そして、加湿フィルター１２の吸込面を通過して内側空間２１に吸い込まれることで加湿された空気は、送風手段８によって吹出口１０から室内に吹き出される。
【００９５】
このように本実施の形態の加湿装置では、吸込口１７は、平面視長円形状の本体ケース１の背面に側端部近くまで形成されるので、湾曲した形状となって平面に比べて広く開口できる。また、吸込口１７は、下方空間ｃに臨む開口からなる下部吸込口１６に加えて、下方空間ｃに前方および側方から連通する上部吸込口１５を形成しているので、左右および上下の方向に広く形成される。
【００９６】
そして、上記のように加湿フィルター１２には、その前後左右の４方向から流入した空気が吸い込まれるので、通気特性が良好なものとなって気化効率が向上する。しかも、これらの４方向からの室内空気は本体ケース１の背面側のみに設けた吸込口１７から吸い込まれて流入するので、本体ケース１の前方側に位置する使用者に伝播する騒音を低減させることができるとともに、吸込口１７は本体ケース１の前方側から使用者の目に入らないので、製品の外観が良好なものとなる。
【００９７】
なお、本実施の形態で用いた加湿フィルター１２は、全周にフィルター材を配置した枠状としたが、枠状の一部がフィルター材以外の部材で閉塞されていてもよい。
【００９８】
以上のように、本実施の形態によれば、第１の保持材４０と第２の保持材５０との間の寸法よりも大きなフィルター材３０を用いることで、フィルター材３０の表面積を増加させることができ、加湿量を増加させることができる。
【００９９】
本実施の形態によれば、第１の保持材４０と第２の保持材５０との間の寸法よりも大きなフィルター材３０を用いることで、フィルター材３０の表面積を増加させることができ、加湿量を増加させることができる。
【０１００】
本実施の形態によれば、第１の柱部４２ｏｕｔと第２の柱部４２ｉｎとによってフィルター材３０の面方向が規制され、フィルター材３０の他端をフィルターカバーである第２の保持材５０で押さえることで、フィルター材３０を第１の保持材４０と第２の保持材５０との間に配置するため、第１の保持材４０と第２の保持材５０との間の寸法よりも大きなフィルター材３０の装着を容易に行うことができる。
【０１０１】
本実施の形態によれば、フィルター材３０の装着を容易に行えるとともに、フィルター材３０の面を適正に湾曲させることができ、フィルター材３０の湾曲によって、圧力損失を増加させることなくフィルター材３０の表面積を増加させることができる。
【０１０２】
本実施の形態によれば、フィルターカバーである第２の保持材５０によって押圧されることで、第１のフィルター面体３１と第２のフィルター面体３２との間にも空間が形成され、圧力損失を増加させることなくフィルター材３０の表面積を増加させることができる。
【産業上の利用可能性】
【０１０３】
本発明に係る加湿装置は、騒音の増大を抑えた上で、製品の外観を損なうことなく、加湿フィルターの前後方向から通風して、加湿フィルターの気化効率を向上させることができる、という効果を有し、室内に置かれる加湿装置として有用である。
【符号の説明】
【０１０４】
１    本体ケース
２    中央連通口
３    仕切部
８    送風手段
８ａ  ファン吸気口
９    導風筒
１０  吹出口
１１  貯水容器
１２  加湿フィルター
１３  給水タンク
１４  加湿手段
１５  上部吸込口
１６  下部吸込口
１７  吸込口
１８  吸込風路
１９  前方連通口
２０  側方連通口
３０  フィルター材
４０  第１の保持材
５０  第２の保持材
ａ    一側方の空間
ｂ    他側方の空間
ｃ    下方空間
ｄ    上方空間
【図１】
0006028219.tif 000002
【図２】
0006028219.tif 000003
【図３】
0006028219.tif 000004
【図４】
0006028219.tif 000005
【図５】
0006028219.tif 000006
【図６】
0006028219.tif 000007
【図７】
0006028219.tif 000008
【図８】
0006028219.tif 000009
【図９】
0006028219.tif 000010